(57)【要約】      （修正有）【課題】空気質の情報を提供する提供者に、空気質を測定するインセンティブを与えることができる空気質評価システム、データ構造及びプログラムを提供する。【解決手段】空気質評価システム１は、空気質を測定する測定器１０及び携帯端末１５を配布された配布対象者の情報を記憶する記憶部４２と、測定器による測定データおよび測定器の位置に関する情報である位置情報を取得する送受信部４１と、位置情報を基に測定データを取得した施設を特定する施設特定部４３と、記憶部４２に記憶された配布対象者の情報を基に、配布対象者に対して、特定された施設に対するサービスを付与するサービス付与部４５と、を有する管理サーバ４０を備える。【選択図】図３
2020024586.tif 000002
【特許請求の範囲】
【請求項１】
空気質を測定する測定器を配布された配布対象者の情報を記憶する記憶手段と、
前記測定器による測定データおよび当該測定器の位置に関する情報である位置情報を取得する取得手段と、
前記位置情報を基に前記測定データを取得した施設を特定する特定手段と、
前記記憶手段に記憶された配布対象者の情報を基に、配布対象者に対して、特定された施設に対するサービスを付与する付与手段と、
を有する空気質評価システム。
【請求項２】
前記測定データの分析を行なう分析手段をさらに有し、
前記分析手段は、空気質について施設ごとに順位付けを行なうことを特徴とする請求項１に記載の空気質評価システム。
【請求項３】
前記分析手段は、空気質の項目ごとに重み付けをして順位付けを行なうことを特徴とする請求項２に記載の空気質評価システム。
【請求項４】
前記分析手段は、施設外における空気質の分析をさらに行ない、施設の空気質の情報に関連付けて施設外における空気質の情報を提供することを特徴とする請求項３に記載の空気質評価システム。
【請求項５】
前記分析手段は、空気質の情報を閲覧した情報被提供者に対し、閲覧した施設へのルートを施設外における空気質の情報を基にして求め、当該ルートを提供することを特徴とする請求項４に記載の空気質評価システム。
【請求項６】
前記分析手段は、閲覧した施設に徒歩で行くのに適したルートを、空気質の情報に加え、空気質以外の情報を基にして求めることを特徴とする請求項５に記載の空気質評価システム。
【請求項７】
施設における空気質の測定データと、空気質を測定する測定器を配布された配布対象者の情報と、を関連付けて格納する第１のデータ領域と、
施設と、配布対象者に対して施設が提供するサービスの内容と、を関連付けて格納する第２のデータ領域と、
を有するデータ構造。
【請求項８】
配布対象者に対して、サービスを付与する空気質評価システムが、前記第１のデータ領域を参照し、施設の空気質を測定した配布対象者を特定し、前記第２のデータ領域を参照し、当該第２のデータ領域に空気質を測定した施設が含まれる場合に、当該サービスを付与する請求項７に記載のデータ構造。
【請求項９】
コンピュータに、
空気質を測定する測定器を配布された配布対象者の情報を記憶する記憶機能と、
前記測定器による測定データおよび当該測定器の位置に関する情報である位置情報を取得する取得機能と、
前記位置情報を基に前記測定データを取得した施設を特定する特定機能と、
記憶された配布対象者の情報を基に、配布対象者に対して、サービスを付与する付与機能と、
を実現させるためのプログラム。
【発明の詳細な説明】
【技術分野】
【０００１】
本発明は、空気質評価システム、データ構造、プログラムに関する。
【背景技術】
【０００２】
昨今、空気質の見える化に関する装置が発売されており、例えば、ＰＭ２．５、ＰＭ１０、ＶＯＣ（Volatile Organic Compounds：揮発性有機化合物）、花粉などの測定が簡易に行えるようになりつつある。またほかにも、空気質の情報として、温度、湿度、匂いなどの測定も行なうことができる場合がある。
【０００３】
例えば、特許文献１に記載のホームエネルギー・マネージメントシステムは、家庭内の消費電力を監視して電源をオン・オフ制御し、及び／又は、対象機器の動作状態を制御する情報処理装置と、情報処理装置から通知された情報を表示する情報表示装置とを有するホームエネルギー・マネージメントシステムに、温度又は湿度センサ、通信ユニット、メモリ、演算装置、給電部を収容する可搬式装置と、可搬式装置が存在する居室を特定する位置特定部を追加する。そして、情報処理装置に、可搬式装置から取得した温度又は湿度情報に基づいて、可搬式装置が存在する居室に関連する空調機器・設備の動作状態をフィードバック制御する機能を設ける。
【０００４】
また特許文献２に記載の空調診断システムは、建物内の既設の空調システムの診断を行う空調診断システムであって、複数の空気質測定ツールと、診断装置とを備えている。この場合、空気質測定ツールは、建物内に一時的に配置される。診断装置は、複数の空気質測定ツールから測定結果を得て、それらの測定結果を基に空調システムの診断を行う。また、空気質測定ツールは、測定結果を無線送信するための無線送信ユニットを有している。
【０００５】
さらに特許文献３に記載の表示制御システムは、情報端末装置の表示部に情報を表示させるシステムであり、施設における空気質の状態の検出に関する空気質情報を、表示部に表示させる表示制御部を備える。この場合、空気質について複数種類の検出対象がある。施設には、複数種類の検出対象のうち少なくとも１つの検出対象について検出処理が行われる複数の部屋が含まれている。表示制御部は、複数の部屋及び複数種類の検出対象のうち少なくとも一方についての複数の検出結果から１つの検出結果を求めて、求めた１つの検出結果を含む空気質情報を生成する。
【先行技術文献】
【特許文献】
【０００６】
【特許文献１】特開２０１４−１４９１１５号公報
【特許文献２】特開２００５―３３１３号公報
【特許文献３】特開２０１７―２２７３５３号公報
【発明の概要】
【発明が解決しようとする課題】
【０００７】
空気質を測定器で測定し、この情報を共有できれば、施設の利用者にとって有益な情報となる。しかしながら、情報の提供者に利益が得られなければ、空気質を測定するというインセンティブに欠け、必要な情報が不十分になるおそれがある。
本発明は、空気質の情報を提供する提供者に、空気質を測定するインセンティブを与えることができる空気質評価システム等を提供することを目的とする。
【課題を解決するための手段】
【０００８】
かくして本発明によれば、空気質を測定する測定器を配布された配布対象者の情報を記憶する記憶手段と、測定器による測定データおよび測定器の位置に関する情報である位置情報を取得する取得手段と、位置情報を基に測定データを取得した施設を特定する特定手段と、記憶手段に記憶された配布対象者の情報を基に、配布対象者に対して、特定された施設に対するサービスを付与する付与手段と、を有する空気質評価システムが提供される。
【０００９】
ここで、測定データの分析を行なう分析手段をさらに有し、分析手段は、空気質について施設ごとに順位付けを行なうことができる。この場合、施設間で空気質についての競争を促し、各施設に対し、空気質の向上を行なうインセンティブを与えることができる。
また、分析手段は、空気質の項目ごとに重み付けをして順位付けを行なうようにすることができる。この場合、要求される空気質の状態に応じて、より的確な順位付けを行なうことができる。
さらに、分析手段は、施設外における空気質の分析をさらに行ない、施設の空気質の情報に関連付けて施設外における空気質の情報を提供することができる。この場合、施設の近隣の環境を推測することができる。
またさらに、分析手段は、空気質の情報を閲覧した情報被提供者に対し、閲覧した施設へのルートを空気質の情報を基にして求め、ルートを提供することができる。この場合、空気質の綺麗なルートを選択することができる。
またさらに、分析手段は、閲覧した施設に徒歩で行くのに適したルートを、空気質の情報に加え、空気質以外の情報を基にして求めることができる。この場合、徒歩で閲覧した施設に行くのにさらに適したルートを選択することができる。
【００１０】
さらに本発明によれば、施設における空気質の測定データと、空気質を測定する測定器を配布された配布対象者の情報と、を関連付けて格納する第１のデータ領域と、施設と、配布対象者に対して施設が提供するサービスの内容と、を関連付けて格納する第２のデータ領域と、を有するデータ構造が提供される。
【００１１】
ここで、配布対象者に対して、サービスを付与する空気質評価システムが、第１のデータ領域を参照し、施設の空気質を測定した配布対象者を特定し、第２のデータ領域を参照し、第２のデータ領域に空気質を測定した施設が含まれる場合に、サービスを付与することができる。この場合、サービスの付与を行なう配布対象者や施設の特定が容易になる。
【００１２】
またさらに本発明によれば、コンピュータに、空気質を測定する測定器を配布された配布対象者の情報を記憶する記憶機能と、測定器による測定データおよび測定器の位置に関する情報である位置情報を取得する取得機能と、位置情報を基に測定データを取得した施設を特定する特定機能と、記憶された配布対象者の情報を基に、配布対象者に対して、サービスを付与する付与機能と、を実現させるためのプログラムが提供される。
【発明の効果】
【００１３】
本発明によれば、空気質の情報を提供する提供者に、空気質を測定するインセンティブを与えることができる空気質評価システム等を提供することができる。
【図面の簡単な説明】
【００１４】
【図１】本実施の形態における空気質評価システムの構成例を示す図である。
【図２】空気質評価システムの概略動作の例について示した図である。
【図３】空気質評価システムの機能構成例を示したブロック図である。
【図４】第１の実施形態において、測定装置および管理サーバが行なう動作について説明したフローチャートである。
【図５】測定装置が空気質の測定結果を表示した場合を示した図である。
【図６】空気質について順位付けを行なう方法について説明した図である。
【図７】（ａ）〜（ｂ）は、第１の実施形態において、記憶部で保存する空気質に関するデータのデータ構造について示した図である。
【図８】付与されるサービスの具体例を示した図である。
【図９】第２の実施形態において、測定装置および管理サーバが行なう動作について説明したフローチャートである。
【図１０】（ａ）〜（ｂ）は、第２の実施形態において、記憶部で保存する空気質に関するデータのデータ構造について示した図である。
【図１１】携帯端末および管理サーバが行なう動作について説明したフローチャートである。
【図１２】図１１のステップ３０５において、表示される空気質の情報の例を示した図である。
【図１３】図１２において、ルート表示ボタンをタッチしたときに表示される画面を示している。
【発明を実施するための形態】
【００１５】
以下、添付図面を参照して、本発明の実施の形態について詳細に説明する。
【００１６】
＜空気質評価システム全体の説明＞
図１は、本実施の形態における空気質評価システム１の構成例を示す図である。
図示するように本実施の形態の空気質評価システム１は、測定装置１０ａ、１０ｂと、携帯端末１５ａ、１５ｂと、携帯端末２０ａ、２０ｂと、端末装置３０ａ、３０ｂと、管理サーバ４０とが、ネットワーク７０、ネットワーク８０、アクセスポイント９０を介して接続されることにより構成されている。
また、以下、測定装置１０ａと測定装置１０ｂとを区別しない場合には、単に「測定装置１０」と言うことがある。また、携帯端末１５ａと携帯端末１５ｂとを区別しない場合には、単に「携帯端末１５」と言うことがある。さらに、携帯端末２０ａと携帯端末２０ｂとを区別しない場合には、単に「携帯端末２０」と言うことがある。またさらに、端末装置３０ａと端末装置３０ｂとを区別しない場合には、単に「端末装置３０」と言うことがある。
なお図１では、測定装置１０、携帯端末１５、携帯端末２０および端末装置３０は、それぞれ２つずつしか示していないが、個数はいくつでもよい。
【００１７】
測定装置１０は、空気質を測定する測定器の一例である。本実施の形態では、測定装置１０は、施設の空気質を測定する。ここで、「空気質」とは、一般に建物内等の空気中のガス成分量を指す。具体的には、ＰＭ２．５、ＰＭ１０、花粉、ＶＯＣ等の空気に含まれる成分の濃度である。また「空気質」として、他に匂いの成分の濃度や、温度、湿度、気圧、黄砂等を含めてもよい。「施設」とは、人が社会生活を営む際に利用する構造物であり、主に建築物やその設備を意味する。本実施の場合、施設の用途は、特に限られるものではない。例えば、ホテル等の宿泊施設、飲食店・衣服販売店等の商業施設、遊園地・ボウリング場等のレジャー施設、市役所等の公共施設、駅・空港・バスターミナル等の交通施設、医院・病院などの医療施設などが該当する。
【００１８】
測定装置１０は、例えば、空気質評価システム１の運営者により配布される。なお以後、測定装置１０を配布された者を、「配布対象者」と言うことがある。配布対象者は、測定装置１０を配布されると、施設の空気質を測定する。そして、所定の測定が終了すると、測定装置１０を空気質評価システム１の運営者に返却する。測定装置１０の配布は、無償であってもよく、有償であってもよい。また、測定装置１０の配布の際に、配布対象者から所定の預かり金を徴収し、測定装置１０の返却の際に預かり金を配布対象者に返却するデポジット方式でもよい。
【００１９】
測定装置１０が測定する空気質の項目は、特に限られるものではない。例えば、大気中に浮遊する微粒子を測定する。例えば、大気中に浮遊する微粒子のうち、粒子径が概ね２．５μｍ以下のものであるＰＭ２．５の濃度、大気中に浮遊する微粒子のうち、粒子径が概ね１０μｍ以下のものであるＰＭ１０の濃度、あるいは花粉の濃度を測定する。
また、測定装置１０は、微粒子のみならず、空気中に含まれる有機物質を測定してもよい。例えば、ＶＯＣの濃度や、匂いの成分の濃度を測定する。匂いの成分としては、例えば、人の汗の匂いの主成分である低級脂肪酸や、煙草の匂いの主成分である３−ビニルピリジン等が挙げられる。
さらに測定装置１０は、空気自体の項目として、温度、湿度、気圧等を測定してもよい。
これらは、空気の綺麗度や室内の快適性に関連する項目であり、例えば、この空気中にいる人物が快適に感じるか、不快に感じるかを左右する。
【００２０】
携帯端末１５および携帯端末２０は、例えば、モバイルコンピュータ、携帯電話、スマートフォン、タブレット等のモバイル端末である。携帯端末２０は、無線通信を行なうためにアクセスポイント９０に接続する。そして携帯端末１５、２０は、アクセスポイント９０を介して、有線で通信を行うネットワーク７０に接続する。なお詳しくは後述するが、携帯端末１５は、測定装置１０を用いて空気質の測定を行なう配布対象者が所有する携帯端末であり、携帯端末２０は、空気質の情報を提供される情報被提供者が所有する携帯端末である。
【００２１】
端末装置３０は、例えば、所謂汎用のパーソナルコンピュータ（ＰＣ）である。また携帯端末２０と同様に、スマートフォン、タブレット等のモバイル端末であってもよい。そして、端末装置３０は、ＯＳ（Operating System）による管理下において、各種アプリケーションソフトウェアを動作させることで、種々の情報処理を行なうことができる。
本実施の形態では、端末装置３０は施設に配され、端末装置３０により、施設の管理者等が、管理サーバ４０から送られた空気質の情報を閲覧することができる。
【００２２】
管理サーバ４０は、空気質評価システム１の全体の管理をするサーバコンピュータである。詳しくは後述するが、例えば、管理サーバ４０は、測定装置１０から、施設の空気質の情報を受信し、受信した空気質の情報を保存する。さらに管理サーバ４０は、空気質の情報を分析し、施設の空気質について分析した分析情報を作成する。
【００２３】
携帯端末１５、携帯端末２０、端末装置３０および管理サーバ４０は、演算手段であるＣＰＵと、記憶手段であるメインメモリ及びＨＤＤ（Hard Disk Drive）とを備える。ここで、ＣＰＵは、ＯＳ（基本ソフトウェア）やアプリケーションプログラム（応用ソフトウェア）等の各種ソフトウェアを実行する。また、メインメモリは、各種ソフトウェアやその実行に用いるデータ等を記憶する記憶領域であり、ＨＤＤは、各種ソフトウェアに対する入力データや各種ソフトウェアからの出力データ等を記憶する記憶領域である。
さらに、測定装置１０、携帯端末１５、携帯端末２０、端末装置３０および管理サーバ４０は、外部との通信を行うための通信インタフェース（以下、「通信Ｉ／Ｆ」と表記する）と、ビデオメモリやディスプレイ等からなる表示機構と、入力ボタン、タッチパネル、キーボード等の入力機構とを備える。
【００２４】
ネットワーク７０は、測定装置１０、携帯端末１５、携帯端末２０、端末装置３０および管理サーバ４０の間の情報通信に用いられる通信手段であり、例えば、インターネットである。
【００２５】
ネットワーク８０も、ネットワーク７０と同様に、測定装置１０、携帯端末１５、携帯端末２０、端末装置３０および管理サーバ４０の間の情報通信に用いられる通信手段であり、例えば、ＬＡＮ（Local Area Network）である。
【００２６】
アクセスポイント９０は、有線で通信を行うネットワーク７０に対して、無線通信回線を利用して無線通信を行なう機器である。アクセスポイント９０は、測定装置１０、携帯端末１５および携帯端末２０と、ネットワーク７０との間の情報の送受信を媒介する。
無線通信回線の種類としては、携帯電話回線、ＰＨＳ（Personal Handy-phone System）回線、Ｗｉ−Ｆｉ（Wireless Fidelity）、Bluetooth（登録商標）、ZigBee、ＵＷＢ（Ultra Wideband）等の各回線が使用可能である。
【００２７】
＜空気質評価システム１の動作の概略説明＞
図２は、空気質評価システム１の概略動作の例について示した図である。
まず、測定装置１０の配布対象者が、施設の空気質を測定する（１Ａ）。この際に、測定装置１０は、併せて自装置の位置を取得する（１Ｂ）。自装置の位置は、例えば、ＧＰＳ（Global Positioning System）機能を測定装置１０に内蔵させて求めることができる。ただし、ＧＰＳ機能が、測定装置１０に内蔵されていることは必ずしも必要ではなく、別体の装置とし、これから位置情報を取得することもできる。このとき、測定装置１０は、例えば、携帯端末１５とBluetooth等で通信を行ない、携帯端末１５に内蔵されたＧＰＳ機能を利用して測定した位置情報を取得してもよい。またＧＰＳ機能の代わりに、あるいは、ＧＰＳ機能と併用して、Ｗｉ−Ｆｉアクセスポイントの位置の情報を利用して自装置の位置を求めてもよい。
【００２８】
測定装置１０は、施設において空気質の測定をするため、求めた位置は、施設の位置でもある。よってこの場合、測定装置１０は、施設の位置を取得する、と言うこともできる。
【００２９】
次に、測定装置１０は、アクセスポイント９０、ネットワーク７０およびネットワーク８０を介して、管理サーバ４０に対し、測定した空気質の情報として測定データを送信する。また、自装置の位置の情報を位置情報として送信する（１Ｃ）。
【００３０】
そして管理サーバ４０は、送信された測定データおよび位置情報をＨＤＤ等に記憶する（１Ｄ）。
さらに管理サーバ４０は、位置情報を基に、施設の特定を行なうとともに、測定データの分析を行ない、双方を記憶する（１Ｅ）。
【００３１】
また管理サーバ４０は、配布対象者に対し、この施設に対するサービスを付与する（１Ｆ）。このサービスの内容については、後述する。サービスの付与は、配布対象者の所有する携帯端末１５に送られる。この場合、測定装置１０と携帯端末１５とは、紐付けされており、測定装置１０に紐付けされた携帯端末１５に対し、サービスの情報を送信する。
【００３２】
一方、空気質の情報を得たいユーザは、携帯端末２０を操作し、ブラウザ等のインターネット閲覧アプリを使用して、空気質の情報を提供するインターネットのウェブサイトに接続し、施設の選択を行なう。そして、管理サーバ４０からは、ユーザが選択した施設についての空気質の情報を携帯端末２０に対し送信する（１Ｇ）。これによりユーザは、選択した施設の空気質の情報を得ることができる。なお以下、空気質の情報を得たいユーザを、「情報被提供者」と言うことがある。
【００３３】
また、空気質の情報を得たい施設の管理者は、端末装置３０を操作し、上記携帯端末２０と同様のことを行なうことができる。その結果、管理サーバ４０からは、この施設についての空気質の情報を端末装置３０に対し送信する（１Ｈ）。これにより施設の管理者は、自施設の空気質の情報を得ることができる。
【００３４】
次に、本実施の形態の空気質評価システム１の詳細な機能構成および動作について説明する。
【００３５】
＜空気質評価システム１の機能構成の説明＞
図３は、空気質評価システム１の機能構成例を示したブロック図である。
なおここでは、空気質評価システム１が有する種々の機能のうち本実施の形態に関係するものを選択して図示している。
空気質評価システム１において、測定装置１０は、空気質を測定する空気質測定部１１と、自装置の位置を取得する位置取得部１２と、空気質の測定結果を表示する表示部１３と、管理サーバ４０と情報の送受信を行なう送受信部１４とを有する。
【００３６】
空気質測定部１１は、測定装置１０の周囲の空気を取り込み、空気質の測定を行なう。空気質として、例えば、ＰＭ２．５やＰＭ１０の濃度を測定する場合、空気質測定部１１は、微粒子計測器（パーティクルカウンタ）である。パーティクルカウンタは、例えば、光散乱方式により微粒子の大きさおよび数量を計測する。具体的には、パーティクルカウンタは、まず空気を一定量取り込む。そして空気を取り込みつつ、レーザーダイオードから、レーザー光を取り込んだ空気に照射する。このレーザ光は、例えば、波長７９０ｎｍの赤外線レーザーである。空気中に微粒子がある場合、その微粒子によって光が散乱され、散乱した光は、光軸から、例えば、９０度の位置に設けられている検出器で捕捉され、電気信号を発生する。この検出器は、例えば、ＣＣＤ（Charge Coupled Device：電荷結合素子）センサである。この際、微粒子の大きさによって、電気信号の大きさが異なるため、これにより粒子の粒径がわかる。また電気信号をカウントした回数が粒子数となる。即ち、空気中の微粒子の粒径ごとに、粒子数が計測できる。そして粒子数を基に濃度が算出できる。
【００３７】
また花粉についは、植物ごとにその粒径がほぼ一定であり、例えば、スギ花粉の粒径は、約３０μｍである。よって、約３０μｍの微粒子が花粉であるとみなすことで、花粉の粒子数を測定できる。また微粒子の形状等を併せて判断することで、約３０μｍの微粒子を検出したときに、粉塵であるか、花粉であるかの区別をすることができる。
【００３８】
また、ＶＯＣ等の空気中の有機物質は、例えば、加熱脱着ガスクロマトグラフ質量分析装置（Automatic Thermal Desorption - Gas Chromatograph / Mass Spectrometer（ATD-GC／MS））により測定することができる。具体的には、まず試料ガスである空気を捕集管に封入する。そしてこの捕集管に、窒素やヘリウム等の不活性ガスを流して水分を除去した後、捕集管を加熱して揮発性成分を脱着する。さらに脱着した成分を二次捕集管（トラップ）にコールドトラップし、二次捕集管を急速に加熱して揮発性成分をＧＣカラムに導入し分析する。そしてこれにより得られ、横軸を検出時間、縦軸を検出強度としたクロマトグラムを基に、検出時間により有機物質の種類が、また検出強度から濃度を算出できる。
【００３９】
さらに、空気の温度、湿度、気圧は、既知の温度計、湿度計、気圧計により測定することができる。
【００４０】
位置取得部１２は、上述したＧＰＳ機能やＷｉ−Ｆｉアクセスポイントを利用して、位置情報を取得する。
【００４１】
表示部１３は、空気質測定部１１で測定した測定データの表示を行なう。具体的には、例えば、ＰＭ２．５などの測定項目と、測定項目ごとの空気中の濃度とを表示する。また測定日時や位置取得部１２により取得された位置情報を表示してもよい。表示部１３は、例えば、測定装置１０に内蔵された液晶パネルである。
【００４２】
送受信部１４は、例えば、通信Ｉ／Ｆである。送受信部１４は、管理サーバ４０と通信を行ない、所定の情報のやりとりを行なう。この場合、送受信部１４は、空気質測定部１１で測定した測定データ、および自装置の位置情報が含まれる。また他に、測定時刻や、測定装置１０の固有ＩＤ等が含まれる。
【００４３】
図示するように、携帯端末１５、携帯端末２０および端末装置３０は、同様の機能構成を有する。即ち、情報の送受信を行なう送受信部１６、２１、３１と、画像の表示を行なう表示部１７、２２、３２と、情報を入力する入力部１８、２３、３３とを備える。
【００４４】
送受信部１６、２１、３１は、例えば、通信Ｉ／Ｆであり、アクセスポイント９０、ネットワーク７０およびネットワーク８０を介し、管理サーバ４０と情報の送受信を行なう。
【００４５】
表示部１７、２２、３２は、例えば、タッチパネルである。この場合、表示部１７、２２、３２は、各種情報が表示されるディスプレイと、指やスタイラスペン等で接触された位置を検出する位置検出シートとを備える。接触された位置を検出する手段としては、接触による圧力をもとに検出する抵抗膜方式や、接触した物の静電気をもとに検出する静電容量方式など、どのようなものが用いられてもよい。また端末装置３０がＰＣの場合、表示部３２は、例えば、ＰＣ用の液晶ディスプレイである。ただし液晶方式に限られるものではなく、画像を表示する機能を備えたものであればよい。よって、例えば、液晶テレビ、ブラウン管ディスプレイ、有機ＥＬディスプレイ、プラズマディスプレイ、プロジェクタなどであってもよい。
【００４６】
入力部１８、２３、３３は、例えば、上述したタッチパネルである。つまりこの場合、タッチパネルは、表示部１７、２２、３２および入力部１８、２３、３３の双方の機能を有する。また入力部１８、２２、３３は、キーボードやマウス等で構成されていてもよい。
【００４７】
管理サーバ４０は、外部と通信を行なう送受信部４１と、所定の情報を記憶する記憶部４２と、施設を特定する施設特定部４３と、施設の空気質の分析を行なう分析部４４と、配布対象者にサービスを付与するサービス付与部４５とを有する。
【００４８】
送受信部４１は、例えば、通信Ｉ／Ｆであり、測定装置１０、携帯端末１５、携帯端末２０および端末装置３０と通信を行ない、所定の情報のやりとりを行なう。また送受信部４１は、取得手段の一例であり、測定装置１０による測定データおよび測定装置１０の位置に関する情報である位置情報を取得する。
【００４９】
記憶部４２は、記憶手段の一例であり、測定装置１０を配布された配布対象者の情報を記憶する。具体的には、配布対象者の情報は、配布対象者を特定できる情報であればよく、例えば、配布対象者の住所、氏名、性別、年齢、電話番号、メールアドレス、会員番号等の情報である。また配布対象者に配布された測定装置１０の固有ＩＤを配布対象者の情報に紐付けをして記憶する。これにより測定装置１０の固有ＩＤを基に配布対象者を特定できる。
また記憶部４２は、測定装置１０から送信された測定データおよび位置情報を記憶する。さらに記憶部４２は、施設に関連付けられたサービスの情報を記憶する。
【００５０】
施設特定部４３は、特定手段の一例であり、位置情報を基に測定データを取得した施設を特定する。つまり予め定められた所定の位置に存在するため、位置情報から施設を特定することが可能である。さらに施設特定部４３は、特定した施設の情報を取得する。施設の情報は、予め記憶部４２に記憶しておいてもよく、インターネット等であるネットワーク７０に存在する情報から取得してもよい。この際、施設特定部４３は、施設の情報として、施設の名称の他、施設について、住所、電話番号、提供するサービスの内容、評価などを併せて取得することもできる。
【００５１】
分析部４４は、分析手段の一例であり、取得した測定データの分析を行なう。分析部４４は、例えば、空気質について施設ごとに順位付けを行なう。
また分析部４４は、インターネットで、空気質の情報を提供するウェブサイトの表示情報を作成する。このウェブサイトを利用することで、携帯端末２０のユーザである情報被提供者は、選択した施設の空気質の情報を取得することができる。また端末装置３０を操作する施設の管理者は、自施設や他の施設の空気質の情報を取得することができる。
【００５２】
サービス付与部４５は、付与手段の一例であり、記憶部４２に記憶された配布対象者の情報を基に、配布対象者に対して、特定された施設に対するサービスを付与する。このサービスは、例えば、その施設が提供するサービスであってもよく、会員券や利用料金の値引き、ポイントの付与、クーポンの付与等の特典であってもよい。
【００５３】
＜測定装置１０および管理サーバ４０の動作の詳細説明＞
次に本実施の形態の測定装置１０および管理サーバ４０が行なう動作の例について、より詳細に説明を行なう。
【００５４】
［第１の実施形態］
まず測定装置１０および管理サーバ４０が行なう動作の第１の実施形態について説明する。第１の実施形態では、測定装置１０の配布対象者が、施設の空気質を測定し、その結果、配布対象者が、管理サーバ４０からサービスを付与される場合について説明を行なう。
【００５５】
図４は、第１の実施形態において、測定装置１０および管理サーバ４０が行なう動作について説明したフローチャートである。
第１の実施形態では、まず、測定装置１０の配布対象者が、測定装置１０の操作を行ない、施設の空気質を測定する（ステップ１０１）。空気質の測定は、空気質測定部１１が行ない、その結果を表示部１３で表示する。
【００５６】
図５は、測定装置１０が空気質の測定結果を表示した場合を示した図である。
図示する測定装置１０は、空気質測定部１１に対応する検出部１１０と、表示部１３に対応するディスプレイ１２０とを備える。空気質を測定するには、配布対象者が、矢印キー１３１、１３２を操作し、空気質を測定する項目等を選択する。そして実行キー１３３を押下することで空気質の測定が実行される。ここでは、空気質の項目として、ＰＭ２．５やＰＭ１０の濃度を測定し、その結果が、ディスプレイ１２０に表示された例を示している。
なお、表示部１３で測定結果を表示する機能は、必ずしも必要ではない。つまり、空気質の測定は行なうが、測定結果を表示し、配布対象者が確認を行なう必要は必ずしもない。なおこの場合、表示部１３は、不要となり、なくてもよい。
【００５７】
図４に戻り、次に、測定装置１０は、空気質の測定を行なった際の自装置の位置を取得する（ステップ１０２）。自装置の位置は、上述したＧＰＳ機能やＷｉ−Ｆｉアクセスポイントを利用して、位置取得部１２が取得する。
そして、送受信部１４が、管理サーバ４０に対し、測定した空気質の情報である測定データおよび自装置の位置の情報である位置情報を送信する（ステップ１０３）。またこの際に、送受信部１４は、空気質の測定を行なった日時の情報や測定装置１０の固有ＩＤの情報をともに送信する。また併せて、配布対象者のコメント等も送信してもよい。
【００５８】
管理サーバ４０では、送受信部４１が、これらの情報を受信する（ステップ１０４）。そして、記憶部４２にて、記憶する（ステップ１０５）。
【００５９】
次に、施設特定部４３が、位置情報を基に、空気質を測定した施設を特定する（ステップ１０６）。この施設の情報は、測定データに関連付けられ、記憶部４２にて保存される。
【００６０】
さらに、分析部４４が、取得した測定データの分析を行なう（ステップ１０７）。分析部４４は、空気質について施設ごとに順位付けを行なうとともに、空気質の情報を提供するインターネットで提供するウェブサイトの表示情報を作成する。
【００６１】
図６は、空気質について順位付けを行なう方法について説明した図である。
ここでは、分析部４４は、測定データを基に算出されるスコアにより優先度を決定する。図示する例では、測定データとして、ＰＭ２．５、ＰＭ１０、花粉、ＶＯＣの濃度を使用して、スコアを求める場合を示している。スコアを求める算出規則としては、空気質のそれぞれの項目について重みを乗算する。そして乗算後の数値を、全て足し合わせる。そしてこのスコアが高いほど空気質は、より悪く、スコアが低いほど空気質はより良いことを意味するため、このスコアを基にして、空気質の順位付けを行なうことができる。換言すれば、分析部４４は、空気質の項目ごとに重み付けをして順位付けを行なう、と言うこともできる。
【００６２】
ここでは、重みとして、ＰＭ２．５については、２、ＰＭ１０については、１、花粉については、５、およびＶＯＣについては１を設定している。ここでは、花粉について重みを大きくしたのは、近年、花粉症の人が多く、花粉について重視する場合が多いためである。ただし、これに限られるものではなく、重みの設定は、自由に設定可能である。例えば、ＰＭ２．５やＰＭ１０などは、喘息等の呼吸器に関する病気を悪化させるおそれがある。そのため、病院等の医療施設では、ＰＭ２．５やＰＭ１０の重みを大きくしてもよい。
【００６３】
順位付けは、空気質を測定した施設に対し、一律に上述した算出規則で行なってもよいが、業種毎に行なうことが好ましい。つまり、医療施設の例で説明したように、業種毎に要求される空気質の綺麗さや、要求される空気質の基準が異なるためである。
この順位付けについても記憶部４２にて保存される。
【００６４】
図７（ａ）〜（ｂ）は、第１の実施形態において、記憶部４２で保存する空気質に関するデータのデータ構造について示した図である。
このうち、図７（ａ）は、測定データと測定データに付随する属性情報について示した図である。
測定データは、上述したＰＭ２．５、ＰＭ１０、花粉、ＶＯＣのそれぞれについて濃度を示している。この濃度の単位は、（μｇ／ｍ３）である。よって、例えば、ＰＭ２．５について、１．８の数値が格納される場合は、ＰＭ２．５の濃度が、１．８（μｇ／ｍ３）であったことを意味する。
【００６５】
また属性情報は、ここでは、空気質を測定した「測定日時」、空気質を測定した「施設名」、順位付けを行なった結果である「順位」、測定装置１０の固有ＩＤである「測定器ＩＤ」、および測定装置１０を配布した配布対象者の情報である「配布対象者」の各情報が格納される。ここでは、「配布対象者」については、配布対象者のメールアドレスが格納される。また「配布対象者」の情報は、さらに配布対象者の住所、氏名、性別、年齢、電話番号、会員番号等の情報等が格納されていてもよい。
図７（ａ）の情報は、配布対象者が空気質の測定を行なうたびに順次蓄積されていく。
【００６６】
また、図７（ｂ）は、サービスを提供する施設について、施設名と付与するサービスの内容を示している。
配布対象者が空気質を測定した施設について、この図７（ｂ）に施設名がある場合、この施設は、サービスを付与する施設である。そしてこの場合、配布対象者に対し、図７（ｂ）に示すサービスが付与される。一方、図７（ｂ）に施設名がない場合は、サービスを付与する施設ではない。よってこの場合、空気質を測定してもサービスは付与されない。
図７（ｂ）の情報は、サービスを付与する施設について予め作成される情報である。
【００６７】
このように本実施の形態では、データ構造として、２つのリストを有する。つまり、このデータ構造は、施設における空気質の測定データと、空気質を測定する測定器を配布された配布対象者の情報と、を関連付けて格納する第１のデータ領域（図７（ａ）参照）と、施設と、配布対象者に対して施設が提供するサービスの内容と、を関連付けて格納する第２のデータ領域（図７（ｂ）参照）と、を有する。そして、配布対象者に対して、サービスを付与する空気質評価システム１が、第１のデータ領域を参照し、施設の空気質を測定した配布対象者を特定し、第２のデータ領域を参照し、第２のデータ領域に空気質を測定した施設が含まれる場合に、サービスを付与する。
【００６８】
再び図４に戻り、サービス付与部４５は、空気質を測定した施設が、サービスを付与する施設であるか否かを判断する（ステップ１０８）。これは、上述した図７（ｂ）に示した施設名のデータを参照することで行なうことができる。
そしてサービスを付与する施設である場合（ステップ１０８でＹｅｓ）、配布対象者に対して、空気質を測定した施設に対するサービスを付与する（ステップ１０９）。サービスの内容は、図７（ｂ）に示したサービスの内容のデータを参照することで行なうことができる。またサービスの付与は、図７（ａ）の「配布対象者」のデータを使用することで行なう。この場合、「配布対象者」のデータは、メールアドレスであるため、このメールアドレスに対し、サービスを付与する旨の通知を行なう。
一方、サービスを付与する施設でない場合（ステップ１０８でＮｏ）、サービスは付与されず、一連の処理を終了する。またこのとき、サービス付与部４５は、配布対象者に対し、空気質を測定した施設が、サービスを付与しない施設である旨を通知してもよい。
【００６９】
図８は、付与されるサービスの具体例を示した図である。
ここでは、配布対象者が、施設として、〇〇〇バーガーの空気質を測定した結果、〇〇〇バーガーの全品１０％ＯＦＦのクーポンが付与された場合を示している。そして、配布対象者の所有する携帯端末１５の表示部１５０に、このクーポンを表示した場合を示している。この場合、表示部１５０には、「〇〇〇バーガーの空気質の測定を行なっていただきありがとうございます。返礼として下記クーポンをお送りします。」のメッセージ１５１とともに、クーポン１５２が表示される。また配布対象者が空気質を測定した際のコメント等がある場合は、これをレビュー等の欄として表示してもよい。
【００７０】
［第２の実施形態］
次に、測定装置１０および管理サーバ４０が行なう動作の第２の実施形態について説明する。第２の実施形態では、測定装置１０が、予め定められた時刻に空気質を測定する。この場合、配布対象者は、自己が行った設備のみならず、例えば、施設の行き帰りにおける道中の空気質も測定することになる。
【００７１】
図９は、第２の実施形態において、測定装置１０および管理サーバ４０が行なう動作について説明したフローチャートである。
第２の実施形態では、まず、測定装置１０の空気質測定部１１が、空気質を測定する時刻になったか否かを判断する（ステップ２０１）。この時刻は、例えば、１０分毎、１時間毎など、予め定められた時間毎に設定してもよく、１日の間で測定する時刻を予め定めておいてもよい。
そして、空気質を測定する時刻になっていない場合（ステップ２０１でＮｏ）、ステップ２０１に戻る。
対して、空気質を測定する時刻になった場合（ステップ２０１でＹｅｓ）、空気質測定部１１が、空気質を測定する（ステップ２０２）。この場合、配布対象者の操作は特に必要なく、測定装置１０は、いわば自動的に空気質の測定を行なう。ただし、これに限られるものではなく、配布対象者が、空気質の測定を行ないたいときに、手動で測定を行なってもよい。
【００７２】
ステップ２０３〜ステップ２０６は、図４のステップ１０２〜ステップ１０５と同様であるので、説明を省略する。
【００７３】
ステップ２０７以降は、施設特定部４３が、位置情報を基に、空気質を測定した場所を特定する（ステップ２０７）。この場所は、第１の実施形態と同様に施設である場合もあるが、施設外である場合もある。施設外である場合は、例えば、配布対象者が何れかの道を歩いている場合に空気質を測定した場合が該当する。そして、施設特定部４３は、位置情報を基に、場所が施設であるときは、施設特定部４３は、第１の実施形態と同様に施設を特定する。また施設外であるときは、位置情報を基に、この場所の住所を特定する。この施設や住所の情報は、測定データに関連付けられ、記憶部４２にて保存される。なお場所の情報は、場所を特定できるものであれば特に限られるものではない。場所の情報は、例えば、緯度、経度等の情報であってもよい。
【００７４】
さらに、分析部４４が、第１の実施形態のステップ１０７と同様に、取得した測定データの分析を行なう（ステップ２０８）。
【００７５】
図１０（ａ）〜（ｂ）は、第２の実施形態において、記憶部４２で保存する空気質に関するデータのデータ構造について示した図である。
このうち、図１０（ｂ）は、図７（ｂ）と同様であり、サービスを提供する施設について、施設名と付与するサービスの内容を示している。
対して、図１０（ａ）は、図７（ａ）と同様に、測定データと測定データに付随する属性情報について示した図であるが、施設の測定データのみならず、施設外の測定データも含む。つまり、空気質の測定を行なった場所が施設の場合、図７（ａ）と同様となるが、施設外であった場合は、施設名ではなく、その場所の住所が格納される。また順位は、付随しない。図１０に挙げた例では、図７に挙げた例に対し、３行目と４行目に施設外の測定データとこれに付随する属性情報が付加された例を示している。なおこの場合、測定器ＩＤが１１３８の測定装置１０により、空気質の測定は、２０１８／７／１０の１２：００と、１４：００において、２回なされ、前者は、施設である△××ホテルにおける空気質の測定データであり、後者は、施設外である東京都港区××における空気質の測定データであることを意味する。
【００７６】
図９に戻り、ステップ２０９〜ステップ２１０は、図４のステップ１０８〜ステップ１０９と同様である。なおこのとき、施設外における空気質を測定した場合は、ステップ２０９において、Ｎｏの場合となり、サービスは付与されない。
【００７７】
＜携帯端末２０および管理サーバ４０の動作の詳細説明＞
次に本実施の形態の携帯端末２０および管理サーバ４０が行なう動作の例について、より詳細に説明を行なう。
【００７８】
図１１は、携帯端末２０および管理サーバ４０が行なう動作について説明したフローチャートである。
まず、空気質の情報を閲覧したい情報被提供者は、携帯端末２０で動作するブラウザ等のアプリを操作する。この場合、タッチパネル等の表示部２２に表示がされるとともに、同様にタッチパネル等の入力部２３により、操作がなされる。そして管理サーバ４０が提供し、空気質の情報を閲覧可能なウェブサイトに接続する（ステップ３０１）。
【００７９】
次に、情報被提供者は、接続したウェブサイトにおいて、メニュー画面等を操作し、空気質を閲覧したい施設の選択を行なう（ステップ３０２）。
選択した施設の情報は、送受信部２１を介して、管理サーバ４０に送られ、管理サーバ４０の送受信部４１が、受信する（ステップ３０３）。
そして管理サーバ４０の分析部４４が、要求された施設における空気質の表示情報を作成し、送受信部４１を介して、携帯端末２０に送る（ステップ３０４）。
【００８０】
そして送られた表示情報は、送受信部４１が、受信し、表示部２２にて選択した施設の空気質の情報が表示される（ステップ３０５）。
【００８１】
図１２は、図１１のステップ３０５において、表示される空気質の情報の例を示した図である。
図示するように、ディスプレイ２１０の上部に空気質の情報２１１が表示されている。ここでは、施設である〇〇〇バーガーの空気質として、ＰＭ２．５、ＰＭ１０、花粉、ＶＯＣが表示されている。また空気質の表示としては、◎（ほぼなし）、〇（少ない）、△（普通）、×（悪い）の４段階で表示する方式を採用している。なおこの場合、×（悪い）の評価がない場合であるため、×（悪い）は表示されていない。そしてこの画面から、ルート表示ボタン２１２をタッチすると、後述するルート表示がされる。また戻るボタン２１３をタッチすると、この画面が表示される画面よりも１つ前の画面に戻れる。
【００８２】
また第２の実施形態のように、施設外の空気質を測定する場合は、施設の周辺の空気質も併せて表示することができる。この場合、情報被提供者は、施設の空気質とともに、施設の周辺の環境について、空気質の情報を基に推測することができる。このように第２の実施形態では、分析部４４は、施設外における空気質の分析をさらに行ない、施設の空気質の情報に関連付けて施設外における空気質の情報を提供することもできる。
【００８３】
さらに本実施の形態では、ディスプレイ２１０の下部に広告２１４が表示される。この広告は、例えば、同一業種の中で、空気質が良好な施設に対して表示することが許される。この例では、〇×△バーガーが同一業種の中で、〇×△バーガーが上記順位付けで、最も良い結果だったため、〇×△バーガーの広告が表示された場合を示している。
【００８４】
このように、順位付けの良い施設に対し、広告を表示することを許可すれば、施設間で空気質についての競争を促し、各施設に対し、空気質の向上を行なうインセンティブを与えることができる。また、管理サーバ４０の運営者は、広告を表示した施設から広告収入を得ることができる。また管理サーバ４０の運営者は、空気質を測定してほしい施設や、ウェブサイトの情報を利用したい企業から収入を得ることもできる。
【００８５】
図１３は、図１２において、ルート表示ボタン２１２をタッチしたときに表示される画面を示している。
図示する画面は、地図２１６上で、現在地２１７と、〇〇〇バーガーの位置２１８とが表示されている。そして現在地２１７から〇〇〇バーガーの位置２１８に至るルート２１９が表示されている。そしてこのルート２１９は、空気質を考慮したルートであり、空気質がより良好なルートを選択している。このルートは、第２の実施形態における施設外の空気質を参照し、空気質がより良好な場所を選び、決定することができる。そして図示するように、「空気が綺麗なルートを選択しました。」のメッセージ２１５が表示され、情報被提供者に対し、空気質がより良好なルートを選択した旨を通知する。このように第２の実施形態では、分析部４４は、空気質の情報を閲覧した情報被提供者に対し、閲覧した施設へのルートを施設外における空気質の情報を基にして求め、ルートを提供することができる。
【００８６】
また、他に空気質の情報として、温度、湿度、気圧を含めてもよい。空気質の情報として温度を含める場合、温度が、歩くのになるべく適温であるルートを選択する。例えば、季節が夏の場合、温度がなるべく低いルートを選択する。あるいは、なるべく日陰が多いルートを選択する。一方、季節が冬の場合、温度がなるべく高いルートを選択する。あるいは、なるべく日陰が少ないルートを選択する。また空気質の情報として湿度を含める場合、湿度が歩くのになるべく適したルートを選択する。
さらに、ルートを選択するのに、空気質以外の情報を考慮してもよい。空気質以外の情報としては、例えば、雨量、風速などである。雨量を考慮に入れる場合は、雨が降っていないルートや、アーケードのある商店街、地下街等を通るルートをなるべく選択する。また風速を考慮に入れる場合は、風速がなるべく小さいルートを選択する。つまりこの場合、分析部４４は、閲覧した施設に徒歩で行くのに適したルートを、空気質の情報に加え、空気質以外の情報を基にして求める。
【００８７】
なお第１の実施形態では、施設外の空気質の測定データは使用できないため、このルートの選択を行なうには、例えば、空気質の良好な地点を、予め選択しておき、これを基にルートの決定を行なうなどの方法を取ることができる。空気質の良好な地点としては、例えば、国道、県道等を避けた生活道路、川沿いの道路などが挙げられる。
【００８８】
なおここでは、ルート表示として、徒歩による道順について説明したが、これに限られるものではなく、鉄道、バス、フェリー、飛行機等の交通機関を利用した場合について、表示してもよい。
【００８９】
なお図２において説明したように、携帯端末２０のみならず、端末装置３０でも同様のことを行なうことができる。よって、施設の管理者は、自施設あるいは他の施設の空気質の情報を閲覧できる。また端末装置３０では、これに加え、例えば、施設の管理者が、設備の空気質を改良するのに適したアドバイスを管理サーバ４０から得られるようにしてもよい。例えば、アドバイスとしては、空気設備の改良、植物の配置、定期的な換気、空間改善に関する機器の設置等が挙げられる。さらに、これらを実行することができる業者の斡旋についてのアドバイスを行なってもよい。また、この業者の広告を管理サーバ４０から送ってもよい。またさらに、空気質の良好な施設に対しては、空気質が良好である旨を宣伝に使用し、集客を図るアドバイスを行なうこともできる。
【００９０】
以上詳述した形態によれば、空気質の情報を提供する提供者としての配布対象者に、空気質を測定するインセンティブを与えることができる。
また以上詳述した形態では、空気質評価システム１は、測定装置１０と、携帯端末１５、２０と、端末装置３０と、管理サーバ４０とが、ネットワーク７０、ネットワーク８０、アクセスポイント９０を介して接続されることにより構成されていたが、管理サーバ４０だけでも空気質評価システムであるとして扱うことができる。
【００９１】
＜プログラムの説明＞
ここで以上説明を行った本実施の形態における管理サーバ４０が行なう処理は、例えば、アプリケーションソフトウェア等のプログラムとして用意される。そしてこの処理は、ソフトウェアとハードウェア資源とが協働することにより実現される。即ち、管理サーバ４０に設けられたコンピュータ内部の図示しないＣＰＵが、上述した各機能を実現するプログラムを実行し、これらの各機能を実現させる。
【００９２】
よって本実施の形態で、管理サーバが行なう処理は、コンピュータに、空気質を測定する測定装置１０を配布された配布対象者の情報を記憶する記憶機能と、測定装置１０による測定データおよび測定装置１０の位置に関する情報である位置情報を取得する取得機能と、位置情報を基に測定データを取得した施設を特定する特定機能と、記憶された配布対象者の情報を基に、配布対象者に対して、サービスを付与する付与機能と、を実現させるためのプログラムとして捉えることもできる。
【００９３】
なお、本実施の形態を実現するプログラムは、通信手段により提供することはもちろんＣＤ−ＲＯＭ等の記録媒体に格納して提供することも可能である。
【００９４】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【００９５】
１…空気質評価システム、１０、１０ａ、１０ｂ…測定装置、１５、１５ａ、１５ｂ、２０、２０ａ、２０ｂ…携帯端末、３０、３０ａ、３０ｂ…端末装置、４０…管理サーバ、４１…送受信部、４２…記憶部、４３…施設特定部、４４…分析部、４５…サービス付与部
【図１】
2020024586.tif 000003
【図２】
2020024586.tif 000004
【図３】
2020024586.tif 000005
【図４】
2020024586.tif 000006
【図５】
2020024586.tif 000007
【図６】
2020024586.tif 000008
【図７】
2020024586.tif 000009
【図８】
2020024586.tif 000010
【図９】
2020024586.tif 000011
【図１０】
2020024586.tif 000012
【図１１】
2020024586.tif 000013
【図１２】
2020024586.tif 000014
【図１３】
2020024586.tif 000015